(57)【要約】【課題】小型化、製造コストの削減に加えて、レーザ発光出力を抑えつつ、ＤＶＤに対する高速記録を実現する。【解決手段】１のレーザ光を出射する第１の光源に加えて、第１のレーザ光と異なる波長である第２のレーザ光並びに第３のレーザ光を同時に出射する第２の光源並びに第３の光源とを一つの光出射手段として構成し、上記光学ヘッドにおける第２の光源並びに第３の光源につき、光記録媒体に照射される第２のレーザ光におけるスポット位置と第３のレーザ光におけるスポット位置とが、上記記録媒体の回転方向に沿って順次形成されるように相対位置関係を設定し、記録トラック上に予め記録されているデータを消去、もしくはデータの記録をするための第２のレーザ光を出射し、当該記録トラック上にデータを記録するため、もしくはデータの読み出しのための第３のレーザ光を出射し、これら光源は、少なくとも第２の光源と第３の光源とを、或いは、少なくとも第１の光源乃至上記第３の光源を、１つの半導体レーザチップ内に構成する。【選択図】  図２
2004334976.tif 000002
【特許請求の範囲】
【請求項１】
種類の異なる複数の光記録媒体に対応した光学ヘッドにおいて、
第１のレーザ光を出射する第１の光源と、上記第１のレーザ光と異なる波長である第２のレーザ光並びに第３のレーザ光を同時に出射する第２の光源並びに第３の光源とが、少なくとも設けられてなる光出射手段と、
上記光出射手段から出射された上記第１のレーザ光、又は上記第２のレーザ光並びに上記第３のレーザ光が照射される上記光記録媒体からの戻り光を受光する受光手段とを備え、
上記光出射手段における第２の光源並びに第３の光源は、上記光記録媒体に照射される第２のレーザ光におけるスポット位置と第３のレーザ光におけるスポット位置とが、上記記録媒体の回転方向に沿って、同一の記録トラック上に順次形成されるように相対位置関係が設定され、
上記光出射手段における上記第２の光源は、記録トラック上に予め記録されているデータを消去するための第２のレーザ光を出射し、また上記第３の光源は、当該記録トラック上にデータを記録するための第３のレーザ光を出射し、
或いは、上記光出射手段における上記第２の光源は、当該記録トラック上にデータを記録するための第２のレーザ光を出射し、また上記第３の光源は、当該記録トラック上のデータを読み出すための第３のレーザ光を出射すること
を特徴とする光学ヘッド。
【請求項２】
上記光出射手段における第２の光源並びに第３の光源は、上記光記録媒体に照射される第２のレーザ光並びに第３のレーザ光におけるスポット位置を結ぶ直線が上記光記録媒体の記録トラックに対して略平行となるように、相対位置関係が設定されていること
を特徴とする請求項１記載の光学ヘッド。
【請求項３】
上記光出射手段は、少なくとも第２の光源と第３の光源とが、或いは、少なくとも上記第１の光源乃至上記第３の光源が、１つの半導体レーザチップ内に構成されてなること
を特徴とする請求項１記載の光学ヘッド。
【発明の詳細な説明】
【０００１】
【発明の属する技術分野】
本発明は、種類の異なる複数の光記録媒体に対応した光学ヘッドに関する。
【０００２】
【従来の技術】
従来、光記録媒体として、ＣＤ（Ｃｏｍｐａｃｔ  Ｄｉｓｃ）と呼ばれる再生専用の光ディスクや、ＣＤ−Ｒ（Ｃｏｍｐａｃｔ  Ｄｉｓｃ−Ｒｅｃｏｒｄａｂｌｅ）と呼ばれる追記型の光ディスク等が実用化されている。これら光ディスクは、量産性に優れ、製造コストを安価に抑えられること、情報の再生或いは情報の記録を比較的安定に行うことができること等から、広く普及するに至っている。
【０００３】
ところで、このような光ディスクにおいては、近年、記録容量の増大化が盛んに行われている。このような中、外径寸法をＣＤと同じとしながら記録容量を飛躍的に増大させ、現行テレビジョン放送並みの画質で映画１本分のデータを収めることを可能にしたＤＶＤ（Ｄｉｇｉｔａｌ  Ｖｅｒｓａｔｉｌｅ  Ｄｉｓｃ／Ｄｉｇｉｔａｌ  Ｖｉｄｅｏ  Ｄｉｓｃ）が開発され、実用化されるに至っている。このＤＶＤでは、記録密度を高めて記録容量の増大化を実現するために、ＣＤ等に使用するレーザよりも波長の短いレーザを用いて情報の記録再生が行われる。
【０００４】
そして、光ディスクを記録媒体として用いる光記録再生装置においても、このＤＶＤに対して情報の記録再生を行うことができると共に、ＣＤやＣＤ−Ｒに対しても情報の記録再生を行うことができる、いわゆる互換性を有する光学ヘッドを備えたものが開発されるに至っている。このＣＤやＣＤ−ＲとＤＶＤとの双方に対応可能な光学ヘッドにおいては、ヘッド全体の小型化や製造コストの低減を図るためには、ＣＤやＣＤ−Ｒ用の光学系とＤＶＤ用の光学系とができるだけ共通化されていることが望ましい。
【０００５】
このような要求に応じるべく、ＣＤやＣＤ−Ｒに対応したレーザ光とＤＶＤに対応したレーザ光との双方を選択的に出射する、いわゆる２波長半導体レーザを備えた光学ヘッドが提案されている（例えば、特許文献１参照）。
【０００６】
この従来の光学ヘッドでは、ＣＤやＣＤ−Ｒに対応したレーザ光を出射する光源と、ＤＶＤに対応したレーザ光を出射する光源とが近接した位置に配置されてなる２波長半導体レーザを備え、また、ＣＤやＣＤ−ＲとＤＶＤとの双方に対応したトラッキングエラー信号やフォーカスエラー信号の検出を可能とするために、これら光ディスクから反射して戻ってくる各レーザ光の戻り光を受光する受光素子を備えている。そして、この受光素子は、光ディスクから反射して戻ってくる各レーザ光の戻り光が所定の位置に照射されるように分割された複数の受光部を有している。
【０００７】
【特許文献１】
特開２００１−１０１６９５号公報
【０００８】
【発明が解決しようとする課題】
しかしながら、上述した従来の光学ヘッドでは、小型化、或いは製造コストの低減を図ることができても、ＤＶＤに対応したレーザ光を出射する光源は、あくまで一つで構成されているため、高速な記録処理を実現するためには、より高いレーザ発光出力が求められる。その結果、光源として用いるレーザダイオード（ＬＤ）に対するコストが過大となり、更にはかかるＬＤの温度特性や寿命が劣化してしまうという問題点が生じる。
【０００９】
そこで本発明は、上述した問題点に鑑みて案出されたものであり、その目的とするところは、小型化、製造コストの削減に加えて、レーザ発光出力を抑えつつ、ＤＶＤに対する高速記録を実現できる光学ヘッドを提供することにある。
【００１０】
【課題を解決するための手段】
本発明者は、上述した課題を解決するために、第１のレーザ光を出射する第１の光源に加えて、第１のレーザ光と異なる波長である第２のレーザ光並びに第３のレーザ光を同時に出射する第２の光源並びに第３の光源とを一つの光出射手段として構成し、上記光学ヘッドにおける第２の光源並びに第３の光源につき、光記録媒体に照射される第２のレーザ光におけるスポット位置と第３のレーザ光におけるスポット位置とが、上記記録媒体の回転方向に沿って順次形成されるように相対位置関係を設定し、記録トラック上に予め記録されているデータを消去するための第２のレーザ光を出射し、当該記録トラック上にデータを記録するための第３のレーザ光を出射し、或いは、記録トラック上にデータを記録するための第２のレーザ光を出射し、また当該記録トラック上のデータを読み出すための第３のレーザ光を出射する光学ヘッドを発明した。
【００１１】
即ち本発明を適用した光学ヘッドは、種類の異なる複数の光記録媒体に対応した光学ヘッドにおいて、第１のレーザ光を出射する第１の光源と、第１のレーザ光と異なる波長である第２のレーザ光並びに第３のレーザ光を同時に出射する第２の光源並びに第３の光源とが、少なくとも設けられてなる光出射手段と、光出射手段から出射された第１のレーザ光、又は第２のレーザ光並びに第３のレーザ光が照射される光記録媒体からの戻り光を受光する受光手段とを備え、光出射手段における第２の光源並びに第３の光源は、光記録媒体に照射される第２のレーザ光におけるスポット位置と第３のレーザ光におけるスポット位置とが、記録媒体の回転方向に沿って、同一の記録トラック上に順次形成されるように相対位置関係が設定され、また、光出射手段における第２の光源は、記録トラック上に予め記録されているデータを消去するための第２のレーザ光を出射し、また第３の光源は、当該記録トラック上にデータを記録するための第３のレーザ光を出射する。或いは、光出射手段における第２の光源は、記録トラック上データを記録するための第２のレーザ光を出射し、また第３の光源は、当該記録トラック上のデータを読み出すための第３のレーザ光を出射する。
【００１２】
【発明の実施の形態】
以下、本発明の実施の形態を図面を参照して詳細に説明する。
【００１３】
本発明に係る光学ヘッドを搭載した光記録再生装置の構成例を図１に示す。この図１に示す光記録再生装置１は、ＣＤ−Ｒ（Ｃｏｍｐａｃｔ  Ｄｉｓｃ−Ｒｅｃｏｒｄａｂｌｅ）やＤＶＤ−Ｒ（Ｄｉｇｉｔａｌ  Ｖｅｒｓａｔｉｌｅ  Ｄｉｓｃ／Ｄｉｇｉｔａｌ  Ｖｉｄｅｏ  Ｄｉｓｃ−Ｒｅｃｏｒｄａｂｌｅ）又はＤＶＤ−ＲＷ（ＤＶＤ−Ｒｅｗｒｉｔａｂｌｅ）等のように、異なる波長のレーザ光を用いて情報の記録再生が行われる多種類の光ディスクに対応した記録再生装置であって、光ディスク２を回転駆動させるスピンドルモータ３と、光ディスク２の信号記録面上に光ビームを照射するとともに、光ディスク２からの戻り光を検出する光学ヘッド４と、光学ヘッド４により検出された戻り光に基づいて、再生信号及び制御信号を生成する信号処理回路５と、制御信号に基づいてフォーカシング制御及びトラッキング制御を行うフォーカストラックサーボ機構６と、光学ヘッド４を光ディスク２の所定のトラックへと移動させるアクセス機構７と、信号処理回路５により生成された信号に基づいて、スピンドルモータ３、フォーカストラックサーボ機構６及びアクセス機構７を制御するシステムコントローラ８とを備えている。
【００１４】
スピンドルモータ３は、システムコントローラ８によって駆動制御され、光ディスク２を所定の速度で回転させる。
【００１５】
光学ヘッド４は、スピンドルモータ３の駆動により回転操作される光ディスク２の信号記録面上に光ビームを照射し、光ディスク２の信号記録面にて反射した戻り光を検出して信号処理回路５へ出力する。この際、光学ヘッド４は、回転操作される光ディスク２の種類によって、その光ディスク２に最適な波長の光ビームを出射する。例えば、回転駆動される光ディスク２がＣＤ−Ｒであれば、光学ヘッド４は、波長が約７８０ｎｍの光ビームを出射し、回転駆動される光ディスク２がＤＶＤであれば、波長が約６５０ｎｍの光ビームを出射する。
【００１６】
信号処理回路５は、再生時において、光学ヘッド４により検出された戻り光に基づいて得られる再生信号及び制御信号を復調し、誤り訂正する。また、この信号処理回路５は、記録時において、インターフェース９から入力される記録信号につき、例えば時分割多重化して固有のヘッダー情報や拡張ファイルのヘッダー情報等を付加する。また信号処理回路５は、記録時において、記録信号を圧縮符号化し、さらには誤り訂正符号を付加する。
【００１７】
信号処理回路５により復調され、誤り訂正された再生信号は、コンピュータのデータストレージ用であれば、インターフェース９を介して外部コンピュータ等に送出される。また、この再生信号は、オーディオ・ビジュアル用であれば、Ｄ／Ａ，Ａ／Ｄ変換器１０のＤ／Ａ変換部でデジタル／アナログ変換され、オーディオ・ビジュアル機器に送出される。
【００１８】
信号処理回路５により復調された各種制御信号は、システムコントローラ８に出力される。システムコントローラ８は、この制御信号の中から、フォーカスエラー信号及びトラッキングエラー信号に基づいてフォーカストラックサーボ機構６を駆動する。フォーカストラックサーボ機構６は、システムコントローラ８の制御のもと、光学ヘッド４の備える対物レンズを光ディスク２に近接離間する方向及び光ディスク２の径方向の２軸方向へ移動操作し、フォーカシング制御及びトラッキング制御を行う。
【００１９】
また、アクセス機構７は、システムコントローラ８から供給される信号に基づいて、光学ヘッド４を光ディスク２の径方向に送り動作させ、またこの光学ヘッド４が光ディスク２の所定の記録トラック上に位置するように動作させる。
【００２０】
ここで、本発明を適用した光学ヘッド４について更に詳しく説明する。
【００２１】
この光学ヘッド４は、各半導体レーザを支持するホルダ４３と、この半導体レーザから出射されたレーザ光を複数に分割するグレーティング４４と、このグレーティング４４を通過したレーザ光の光路中に配されたビームスプリッタ４５と、このビームスプリッタ４５を透過したレーザ光を平行光とするコリメータレンズ４６と、このコリメータレンズ４６により平行光とされたレーザ光の光路中に配された１／４波長板４７と、この１／４波長板４７を通過したレーザ光を光ディスク２の信号記録面２ａ上に集光する対物レンズ４８と、光ディスク２の信号記録面２ａから反射して戻ってきた戻り光を集光させるディテクタレンズ４９と、このディテクタレンズ４９を通過したレーザ光を受光する受光素子５０とを備えている。
【００２２】
ホルダ４３には、図３に示すように、互いに波長の異なるレーザ光を出射する２種類以上の半導体レーザ７１が取り付けられている。この半導体レーザ７１は、半導体の再結合発光を利用した発光素子であり、光ディスク２がＣＤ−Ｒである場合、この光ディスク２に対応した波長約７８０ｎｍのレーザ光（以下、第１のレーザ光という。）を出射する１つのＣＤ用チップ７１ａと、光ディスク２がＤＶＤである場合に、この光ディスク２に対応した波長約６５０ｎｍの２つのレーザ光（以下、第２のレーザ光、第３のレーザ光という。）を同時に出射する２つのＤＶＤ用チップ７１ｂ，ｃの２種類で構成されている。
【００２３】
これらの各半導体レーザ７１は、ＤＶＤチップ７１ｂを中心としてホルダ４３上の互いに近接した位置に一列に配置されており、ＣＤ用チップ７１ａとＤＶＤ用チップ７１ｂとの間隔ｔ１は、８０μｍ〜２００μｍ程度であり、またＤＶＤ用チップ７１ｂ，ｃの間隔ｔ２は、８０μｍ〜１００μｍ程度である。このため、半導体レーザ７１から出射された第１のレーザ光〜第３のレーザ光は、略々同一の光路を通って光ディスク２に照射されることになる。また、これらの半導体レーザ７１は、同一パッケージ内に収納されてなるようにしてもよい。これにより、種類の異なる複数の光ディスク２に対応して異なる波長のレーザ光を出射する本発明において、更なる小型化、製造コストの削減を図ることが可能となる。
【００２４】
グレーティング４４は、回折格子であり、半導体レーザ７１から出射されたレーザ光を回折して、０次光及び±１次光の３光束を含む複数の光束に分割する。このグレーティング４４により分割されたレーザ光は、ビームスプリッタ４５へ入射する。なお、グレーティング４４により分割されたレーザ光のうち、０次光及び±１次光以外の光束については、以下の説明において省略するものとする。
【００２５】
ビームスプリッタ４５は、図２に示すように、半導体レーザ７１から出射されたレーザ光を透過させて光ディスク２に導くとともに、光ディスク２から反射して戻ってくる戻り光を反射させて受光素子５０へと導く。このビームスプリッタ４５を透過した発散光であるレーザ光は、コリメータレンズ４６により平行光とされ、１／４波長板４７を通過する。なお、ビームスプリッタ４５は、半導体レーザ７１から出射されたレーザ光が偏光を有する場合に、偏光ビームスプリッタを用いることで、光ディスク２から反射して戻ってくる戻り光が半導体レーザ７１に戻り、ノイズを発生させる事を防止することができる。
【００２６】
１／４波長板４７は、通過するレーザ光にπ／２の位相差を与えるものである。半導体レーザ７１から出射された直線偏光のレーザ光は、１／４波長板４７を通過して円偏光となる。また光ディスク２を反射して戻ってくる円偏光のレーザ光は、この１／４波長板４７を通過した場合に、直線偏光となる。
【００２７】
対物レンズ４８は、コリメータレンズ４６を透過したレーザ光の光路中に配設されており、このレーザ光を集光して光ディスク２の信号記録面上に照射させる機能を有する。この対物レンズ４８は、フォーカストラックサーボ機構６を構成する図示しない２軸アクチュエータによって、光ディスク２に近接離間する方向及び光ディスク２の径方向の２軸方向に移動可能に支持されている。そして、この対物レンズ４８は、光ディスク２からの戻り光により生成されたフォーカスエラー信号及びトラッキングエラー信号に基づいて、２軸アクチュエータにより移動動作され、フォーカシング制御及びトラッキング制御が実現されることになる。
【００２８】
ここで、光ディスク２の信号記録面２ａ上に集光されるレーザ光は、図４に示すように、ＤＶＤ用チップ７１ｂから出射された第２のレーザ光のスポット位置ｂ１と、ＤＶＤ用チップ７１ｃから出射された第３のレーザ光のスポット位置ｃ１とが、同一の記録トラック上に位置するように照射される。なお、図５に示すように、スポット位置ｂ１と、スポット位置ｃ１とを結ぶ直線（図２中において破線で示す直線Ｘ）が、信号記録面２ａ上の記録トラックの方向Ｙに対して略平行となるように照射されるようにしてもよい。すなわち、ＤＶＤ用チップ７１ｂ，ｃは、光ディスク２の信号記録面２ａ上に集光される第２のレーザ光のスポット位置ｂ１と第３のレーザ光のスポット位置ｃ１とが同一の記録トラック上に位置するように、或いはこれらのスポットｂ１，ｃ１を結ぶ直線が、この光ディスク２の信号記録面２ａ上の記録トラックに対して略平行となるように、ホルダ４３上に支持される。
【００２９】
ちなみに第２のレーザ光によるスポット位置ｂ１と、第３のレーザ光によるスポット位置ｃ１は、光ディスクの回転方向に沿って順次形成されるため、同一記録位置について、第２のレーザ光が先に照射され、その後に第３のレーザ光が照射されることになる。
【００３０】
光ディスク２の信号記録面２ａ上に集光された各レーザ光は、この信号記録面２ａで反射され、対物レンズ４８を通過することにより平行光となる。そして、光ディスク２から反射して戻ってくる戻り光は、１／４波長板４７を介してコリメータレンズ４６を通過することにより収束光とされ、ビームスプリッタ４５を反射する。
【００３１】
反射した戻り光は、ディテクタレンズ４９を透過する。その際ディテクタレンズ４９により非点収差が発生させられることにより、この光記録再生装置１においては、いわゆる非点収差法によるフォーカスエラー信号の検出が可能となる。
【００３２】
受光素子５０へは、ディテクタレンズ４９によりさらにビームスポットの大きさにつき調整された戻り光を受光して光電変換し、受光信号として信号処理回路５に供給する。
【００３３】
この受光素子５０には、例えば、図６に示すように、光ディスク２（ＣＤ−Ｒ）にて反射された第１のレーザ光の戻り光を受光する受光部Ａ，Ｂ，Ｃと、光ディスク２（ＤＶＤ）にて反射された第２のレーザ光の戻り光を受光する受光部Ｄ、Ｅ、Ｆ並びに第３のレーザ光の戻り光を受光する受光部Ｇ、Ｈ、Ｊがそれぞれ設けられている。第１のレーザ光の戻り光を受光する受光部Ａ，Ｂ，Ｃのうち、受光部Ａ，Ｃは、上述したグレーティング２３により分割された第１のレーザ光における±１次光の戻り光を受光するものである。同じく第２のレーザ光の戻り光を受光する受光部Ｄ、Ｅ、Ｆのうち、受光部Ｄ、Ｆは、上述したグレーティング２３により分割された第２のレーザ光における±１次光の戻り光を受光するものであり、第３のレーザ光の戻り光を受光する受光部Ｇ、Ｈ、Ｊのうち、受光部Ｇ、Ｊは、上述したグレーティング２３により分割された第３のレーザ光における±１次光の戻り光を受光するものである。また、第１のレーザ光における０次光の戻り光を受光する受光部Ｂと、第２のレーザ光並びに第３のレーザ光の戻り光を受光する受光部Ｅ、Ｈは、略田字状に４分割されている。
【００３４】
ここで、以上のように構成される光記録再生装置１により、光ディスク２からの情報を読み出す動作について説明する。
【００３５】
先ず、光ディスク２としてＣＤ−Ｒが用いられた場合について説明する。光ディスク２としてＣＤ−Ｒが光記録再生装置１に装着されると、スピンドルモータ３が、システムコントローラ８の制御の下、光ディスク２を所定の回転数で回転操作する。また、光学ヘッド４が備える半導体レーザ７１に駆動電流が供給され、ＣＤ用チップ７１ａから、波長が約７８０ｎｍの第１のレーザ光が出射される。
【００３６】
この出射された第１のレーザ光は、グレーティング４４を通過することにより、０次光及び±１次光の３光束を含む複数の光束に分割される。グレーティング４４により複数の光束に分割された第１のレーザ光は、ビームスプリッタ４５を透過する。そして、ビームスプリッタ４５を透過した第１のレーザ光は、コリメータレンズ４６を透過することにより平行光に変換された後、対物レンズ４８に入射する。対物レンズ４８に入射した第１のレーザ光は、この対物レンズ４８により集束され、回転操作される光ディスク２（ＣＤ−Ｒ）の信号記録面上の所定の記録トラックに合焦照射される。このとき、グレーティング４３により分割された０次光と±１次光とによって、光ディスク２の信号記録面上には、３つのスポットが形成されることになる。
【００３７】
光ディスク２の信号記録面にて反射された信号成分を含む第１のレーザ光の戻り光は、対物レンズ４８、コリメータレンズ４６を再度通過して、ビームスプリッタ４５により反射され、光路が折り曲げられる。
【００３８】
ビームスプリッタ４５を透過した第１のレーザ光の戻り光は、受光素子５０へ向かい、０次光の戻り光がフォトディテクタ２６の受光部Ｂにより受光される。また、±１次光の戻り光がフォトディテクタ２６の受光部Ａ，Ｃによりそれぞれ受光される。
【００３９】
受光素子５０の受光部Ａ，Ｂ，Ｃにより受光された第１のレーザ光の戻り光は、この受光素子５０により光電変換され、受光信号として信号処理回路５に供給される。そして、信号処理回路５において、この受光信号に基づく演算処理がなされ、再生信号ＲＦ１及び非点収差法によるフォーカスエラー信号ＦＥ１、ＤＰＰ法（Ｄｉｆｆｅｒｅｎｔｉａｌ  Ｐｕｓｈ  Ｐｕｌｌ  ）によるトラッキングエラー信号ＴＲ１がそれぞれ生成される。
【００４０】
次に、光ディスク２としてＤＶＤ−ＲＷが用いられた場合について説明する。光ディスク２としてＤＶＤ−ＲＷが光記録再生装置１に装着されると、スピンドルモータ３が、システムコントローラ８の制御のもと、光ディスク２を所定の回転数で回転操作する。また、光学ヘッド４が備えるＤＶＤ用チップ７１ｂ，ｃに駆動電流が供給され、約６５０ｎｍの波長である第２のレーザ光、第３のレーザ光が同時に出射される。
【００４１】
この出射された第２のレーザ光は、光ディスク２の記録トラック上のデータを消去するためのレーザ光であり、第３のレーザ光は、少なくとも当該記録トラック上にデータを記録するためのレーザ光である。第２のレーザ光並びに第３のレーザ光は、第１のレーザ光とほぼ同一の光路を通って、グレーティング４３に入射する。この出射された第２のレーザ光は、グレーティング４４を通過することにより、０次光及び±１次光の３光束を含む複数の光束に分割される。
グレーティング４４により複数の光束に分割された第２のレーザ光並びに第３のレーザ光は、ビームスプリッタ４５を透過する。そして、第２のレーザ光並びに第３のレーザ光は、それぞれコリメータレンズ４６を透過することにより平行光に変換された後、対物レンズ４８に入射する。対物レンズ４８に入射した第２のレーザ光並びに第３のレーザ光は、この対物レンズ４８により集束され、回転操作される光ディスク２（ＤＶＤ）の信号記録面２ａ上の記録トラックに対して略平行に合焦照射される。
【００４２】
第２のレーザ光に基づく光スポットが形成された記録トラックは、結晶化温度以上まで徐熱徐冷されて結晶化する。このため当該記録トラックに予め記録されているデータは消去される。なお、第２のレーザ光による光スポットの形状を記録トラックの方向に対して長く伸びた楕円形状とすることにより、熱分布をなだらかにして結晶化するようにしてもよい。
【００４３】
その後、第３のレーザ光に基づく光スポットが形成された当該記録トラック上にデータが記録される。
【００４４】
光ディスク２の信号記録面にて反射された信号成分を含む第２のレーザ光並びに第３のレーザ光の各戻り光は、対物レンズ４８、コリメータレンズ４６を再度通過して、ビームスプリッタ４５により反射されて光路が折り曲げられる。
【００４５】
ビームスプリッタ４５を反射した第２のレーザ光並びに第３のレーザ光の各戻り光は、受光素子５０の受光部Ｄ、Ｅ、Ｆ、Ｇ、Ｈ、Ｊによりそれぞれ受光される。
【００４６】
受光素子５０の受光部Ｄ、Ｅ、Ｆ、Ｇ、Ｈ、Ｊにより受光された第２のレーザ光並びに第３のレーザ光の各戻り光は、この受光素子５０により光電変換され、受光信号として信号処理回路５に供給される。そして、信号処理回路５において、この受光信号に基づく演算処理がなされ、再生信号ＲＦ２及び非点収差法によるフォーカスエラー信号ＦＥ２、ＤＰＰ法（Ｄｉｆｆｅｒｅｎｔｉａｌ  Ｐｕｓｈ  Ｐｕｌｌ  ）によるトラッキングエラー信号ＴＲ２がそれぞれ生成される。
【００４７】
ところで、以上説明した光記録再生装置１において、再生信号ＲＦ１，ＲＦ２，ＲＦ３や、フォーカスエラー信号ＦＥ１，ＦＥ２，ＦＥ３、トラッキングエラー信号ＴＲ１，ＴＲ２，ＴＲ３等の制御信号を適切に検出するためには、ＣＤ用チップ７１ａから出射された第１のレーザ光の戻り光が、受光素子５０の受光部Ｂの中心に戻り光スポットを形成すると共に、ＤＶＤ用チップ７１ｂから出射された第２のレーザ光の戻り光が、受光素子５０の受光部Ｄの中心に戻り光スポットを形成するように、更にＤＶＤ用チップ７１ｃから出射された第３のレーザ光の戻り光が、受光素子５０の受光部Ｅの中心に戻り光スポットを形成するように、それぞれ相対的な位置関係が設定されている必要がある。
【００４８】
本発明を適用した光学ヘッド４では、ホルダ４３を回転操作することにより、これに保持された半導体レーザ７１を回転調整することができ、第２のレーザ光のスポット位置ｂ１と、第３のレーザ光のスポット位置ｃ１とが同一の記録トラック上に位置するように、或いはこれらのスポットｂ１，ｃ１を結ぶ直線が、この光ディスク２の信号記録面２ａ上の記録トラックに対して略平行となるように容易に調整することができ、ひいては受光素子５０の各受光部Ａ〜Ｅに形成される戻り光スポットの位置を回転調整することができる。このため、ホルダ４３の回転中心に取り付けられるＬＤ用チップ７１ｂから出射される第２のレーザ光の戻り光が受光素子５０の受光部Ｄの中心に戻り光スポットを形成するように位置決めすることにより、ホルダ４３をその軸周り方向に回転させて、記録トラックの方向Ｙに対するスポット位置や、各受光部Ａ〜Ｅに対するスポット位置を容易に調整することが可能となる。
【００４９】
即ち、本発明を適用した光学ヘッド４では、種類の異なる複数の光ディスク２に対応して、第１のレーザ光を出射するＣＤ用チップ７１ａと、上記第１のレーザ光と波長の異なる第２のレーザ光、並びに第３のレーザ光を出射するＤＶＤ用チップ７１ｂ，ｃとを共にホルダ４３上に実装することができる。このため、種類の異なる複数の光ディスク２に対応して、小型化、製造コストの削減を図ることができる。
【００５０】
また、本発明を適用した光学ヘッド４では、記録トラックの方向Ｙに対して、第２のレーザ光に基づく光スポットｂ１と、第３のレーザ光に基づく光スポットｃ１とを同一の記録トラック上に形成することができる。このため、ＤＶＤに対してデータを記録する際に、第２のレーザ光を先行して照射することにより、当該記録トラック上のデータを予め消去し、その後に第３のレーザ光を照射してデータを記録することができる。上述した小型化、製造コストの削減と相俟って、各半導体レーザ７１におけるレーザ発光出力を抑えつつ、ＤＶＤに対して高速記録を実現することができるという相乗的な効果が得られる。さらに半導体レーザ７１に対するコストを大幅に抑えることができ、温度特性や寿命の劣化を防止することができる。
【００５１】
なお、上述した実施の形態では、第２のレーザ光を照射することにより、予め記録トラック上に記録されているデータを消去し、次に、当該記録トラックに対して第３のレーザ光を照射することによりデータを記録する場合を例にとり説明をしたが、かかる場合に限定されるものではない。例えば、第２のレーザ光を照射することにより、記録トラック上にデータを記録し、第３のレーザ光を照射することにより、当該記録トラックに記録したデータを読み出すようにしてもよい。これにより、第２のレーザ光により記録したデータを、即座に読み出し、これを再生することができる。
【００５２】
また、上述した実施の形態では、半導体レーザ７１として、１つのＣＤ用チップ７１ａと、２つのレーザ光を同時に出射する２つのＤＶＤ用チップ７１ｂ，ｃより構成される場合を例にとり説明をしたが、かかる場合に限定されるものではなく、１つ以上のＣＤ用チップと、２つ以上のレーザ光を同時に出射する２つ以上のＤＶＤ用チップで構成されていればよい。仮に、３つのレーザ光を同時に出射する３つのＤＶＤ用チップで構成する場合に、上述した第２のレーザ光、第３のレーザ光に加え、第４のレーザ光を出射するＤＶＤ用チップ７１ｄをホルダ４３上に追加する。このＤＶＤ用チップ７１ｄは、第４のレーザ光として再生用のレーザ光を出射するようにしてもよい。これにより、第２のレーザ光を照射することにより、予め記録トラック上に記録されているデータを消去し、次に、当該記録トラックに対して第３のレーザ光を照射することによりデータを記録し、次に第４のレーザ光を照射することにより、第３のレーザ光により記録トラックに記録されたデータを順次再生することが可能となる。
【００５３】
また、本発明を適用した光学ヘッド４は、上述した実施の形態に限定されるものではなく、記録トラックの方向Ｙに対して、第２のレーザ光に基づく光スポットｂ１と、第３のレーザ光に基づく光スポットｃ１が所定の方向になるように調整されていればよい。例えば、図７に示すように第１のレーザ光〜第３のレーザ光に基づく光スポットが、互いに異なる記録トラック上に形成されるように調整してもよい。これにより、第２のレーザ光及び第３のレーザ光につき、共に記録再生用のレーザ光として同時に出射することもできる。
【００５４】
また、本発明を適用した光学ヘッド４は、例えば図８に示すように、ＣＤ−Ｒに対応した第１のレーザ光を出射するＣＤ用チップ７１ａに対して、ＤＶＤに対応した第２のレーザ光、第３のレーザ光を出射するＤＶＤ用チップ７１ｂ，ｃにつき、２つの発光点を有する一つのチップ９５で構成するようにしてもよい。同様に図９に示すように、ＣＤ用チップ７１ａ並びにＤＶＤ用チップ７１ｂ，ｃにつき、３つの発光点を有する１つの２波長半導体レーザ素子９６で構成するようにしてもよい。
【００５５】
また、本発明を適用した光学ヘッド４においては、半導体レーザ７１を回転可能に保持する保持部材として円筒状のホルダ４３を備えているが、この円筒状のホルダ４３以外のものを保持部材として備えるように構成されていてもよい。
【００５６】
また、本発明を適用した光学ヘッド４においては、ＤＶＤ用チップ７１ｂから出射された第２のレーザ光の戻り光を受光部Ｂで受光するようにしてもよい。これにより、受光素子５０において第１のレーザ光と第２のレーザ光を一つの受光部Ｂで受光する簡略な構成にすることが可能となる。また、本発明を適用した光学ヘッド４においては、ＤＶＤ用チップ７１ｂから出射された第２のレーザ光に加えて、ＤＶＤ用チップ７１ｃから出射された第３のレーザ光の戻り光を受光部Ｂで受光するようにしてもよい。
【００５７】
【発明の効果】
上述したように、本発明を適用した光学ヘッドは、上記光学ヘッドにおける第２の光源並びに第３の光源につき、光記録媒体に照射される第２のレーザ光におけるスポット位置と第３のレーザ光におけるスポット位置とが、記録媒体の回転方向に沿って順次形成されるように相対位置関係を設定し、記録トラック上に予め記録されているデータを消去するため、もしくはデータを記録するための第２のレーザ光を出射し、当該記録トラック上にデータを記録するため、もしくはデータを読み出すための第３のレーザ光を出射する。これら光源は、少なくとも第２の光源と第３の光源とが、或いは、少なくとも第１の光源乃至上記第３の光源が、１つの半導体レーザチップ内に構成されている。
【００５８】
これにより、本発明を適用した光学ヘッドでは、小型化、製造コストの削減と相俟って、各光源におけるレーザ発光出力を抑えつつ、高速記録を実現することができるという相乗的な効果が得られる。さらに各光源に対するコストを大幅に抑えることができ、温度特性や寿命の劣化を防止することができる。
【図面の簡単な説明】
【図１】光記録再生装置の一構成例を示すブロック図である。
【図２】本発明を適用した光学ヘッドの一例を示す図である。
【図３】本発明を適用した光学ヘッドが備えるホルダ４３に実装された半導体レーザ７１につき説明するための斜視図である。
【図４】光ディスク上に形成される各レーザ光のスポットにつき説明するための図である。
【図５】各レーザ光のスポットにつき更に説明するための図である。
【図６】本発明を適用した光学ヘッドが備える受光素子の平面図である。
【図７】第１のレーザ光〜第３のレーザ光に基づく光スポットが、互いに異なる記録トラック上に形成される場合につき説明するための図である。
【図８】半導体レーザの実装例を示す図である。
【図９】半導体レーザの他の実装例を示す図である。
【符号の説明】
１  光記録再生装置、２  光ディスク、４  光学ヘッド、４３  ホルダ、４４グレーティング、４５  ビームスプリッタ、４６  コリメータレンズ、４７  １／４波長板、４８  対物レンズ、４９  ディテクタレンズ、５０  受光素子
【図１】
2004334976.tif 000003
【図２】
2004334976.tif 000004
【図３】
2004334976.tif 000005
【図４】
2004334976.tif 000006
【図５】
2004334976.tif 000007
【図６】
2004334976.tif 000008
【図７】
2004334976.tif 000009
【図８】
2004334976.tif 000010
【図９】
2004334976.tif 000011